(57)【要約】【課題】摺洗体を簡単に交換でき、経済的で、使い勝手の良い摺洗用具を提供する。【解決手段】摺洗用具基体１と、摺洗用具基体１に保持される摺洗体２と、前記摺洗用具基体に取り付けられた操作部３とを備え、前記摺洗用具基体１における摺洗体保持部１１は、撓み変形可能な薄板状に構成されており、前記摺洗体２は、前記摺洗体保持部１１と同じ面積または大きな面積のスポンジ体で構成され、前記摺洗体保持部１１の下面に面ファスナー４１，４２を介して着脱可能に装着されている。【選択図】  図１
2011115286.tif 000002
【特許請求の範囲】
【請求項１】
摺洗用具基体と、
摺洗用具基体に保持される摺洗体と、
前記摺洗用具基体に取り付けられた操作部とを備え、
前記摺洗用具基体における摺洗体保持部は、撓み変形可能な薄板状に構成されており、
前記摺洗体は、前記摺洗体保持部と同じ面積または大きな面積のスポンジ体で構成され、前記摺洗体保持部の下面に面ファスナーを介して着脱可能に装着されていることを特徴とする摺洗用具。
【請求項２】
摺洗用具基体と、
前記摺洗用具基体の上下に配置される一対の摺洗体と、
前記摺洗用具基体に取り付けられた操作部とを備え、
前記摺洗用具基体における摺洗体保持部は、撓み変形可能な薄板状に構成されており、
前記一対の摺洗体は、前記摺洗体保持部より大きな面積のスポンジ体で構成され、両者が対向するそれぞれの内側面に面ファスナーが取り付けられ、前記摺洗体保持部を挟み込んだ状態で、前記摺洗体保持部より外側の面ファスナー同士が係合することにより、前記摺洗用具基体に着脱可能に装着されていることを特徴とする摺洗用具。
【請求項３】
前記摺洗体保持部の中央部に上下面を貫通する孔部が形成され、この孔部を通じて前記一対の摺洗体に取り付けられた面ファスナー同士が係合する請求項２に記載の摺洗用具。
【請求項４】
前記摺洗体における表面側に、不織布からなる吸水性層が形成されている請求項１〜３のいずれかに記載の摺洗用具。
【発明の詳細な説明】
【技術分野】
【０００１】
この発明は、例えば浴室の清掃ないしは洗車等に使用するための摺洗用具に関する。
【背景技術】
【０００２】
この種の摺洗用具では、合成樹脂等から成形された摺洗用具基体における主面部にスポンジ体を接合し、この摺洗用具基体における基端側に操作用の把手部を一体形成したもの、あるいはその基端部に棒状の柄が取り付けられるようにしたものが一般的である。
【０００３】
また、従来、合成樹脂等からなる操作部の先端側に摺洗用具基体を一体形成するとともに、弾性変形可能に構成し、この摺洗用具基体の上下両面にそれぞれ弾性薄板を介して上下のスポンジ体をそれぞれ接着して保持させるようにした技術が提案されている（例えば、特許文献１参照）。
【先行技術文献】
【特許文献】
【０００４】
【特許文献１】特開２０００−３２５２７８号公報
【発明の概要】
【発明が解決しようとする課題】
【０００５】
しかし、従来の摺洗用具は、摺洗用具基体にスポンジ体が接合されているので、スポンジ体が使用するうちに痛んだり劣化した場合、スポンジ体だけを交換できず、摺洗用具全体を買い換えなけばならない。
【０００６】
また、先行技術のものにおいても、摺洗用具基体の上下両面に弾性薄板を介してスポンジ体がそれぞれ接合されており、これもスポンジ体を交換できず、不経済である。
【０００７】
この発明は、上記実情に鑑みてなされたものであり、スポンジ体を簡単に交換でき、経済的で、使い勝手の良い摺洗用具を提供することを課題としている。
【課題を解決するための手段】
【０００８】
上記課題は、以下の手段によって解決される。
【０００９】
［１］摺洗用具基体と、
摺洗用具基体に保持される摺洗体と、
前記摺洗用具基体に取り付けられた操作部とを備え、
前記摺洗用具基体における摺洗体保持部は、撓み変形可能な薄板状に構成されており、
前記摺洗体は、前記摺洗体保持部と同じ面積または大きな面積のスポンジ体で構成され、前記摺洗体保持部の下面に面ファスナーを介して着脱可能に装着されていることを特徴とする摺洗用具。
【００１０】
［２］摺洗用具基体と、
前記摺洗用具基体の上下に配置される一対の摺洗体と、
前記摺洗用具基体に取り付けられた操作部とを備え、
前記摺洗用具基体における摺洗体保持部は、撓み変形可能な薄板状に構成されており、
前記一対の摺洗体は、前記摺洗体保持部より大きな面積のスポンジ体で構成され、両者が対向するそれぞれの内側面に面ファスナーが取り付けられ、前記摺洗体保持部を挟み込んだ状態で、前記摺洗体保持部より外側の面ファスナー同士が係合することにより、前記摺洗用具基体に着脱可能に装着されていることを特徴とする摺洗用具。
【００１１】
［３］前記摺洗体保持部の中央部に上下面を貫通する孔部が形成され、この孔部を通じて前記一対の摺洗体に取り付けられた面ファスナー同士が係合する前項２に記載の摺洗用具。
【００１２】
［４］前記摺洗体における表面側に、不織布からなる吸水性層が形成されている前項１〜３のいずれかに記載の摺洗用具。
【発明の効果】
【００１３】
前項［１］に記載の発明によれば、摺洗用具基体の摺洗具保持部が撓み変形可能な薄板状に構成されているので、使用時に被摺洗面に対する摺洗用具の押し当て状態に応じて摺洗体を弾性変形させて、被摺洗面の形状に合わせながら摺洗作業を良好に行うことができる。
【００１４】
とくに、摺洗体が摺洗用具基体の摺洗体保持部の下面に面ファスナーを介して着脱可能に装着されているので、摺洗体が傷んだり劣化してきた場合には、該摺洗体を引っ張り操作するだけで摺洗用具基体側から簡単に取り外して交換することができ、経済的である。
【００１５】
前項［２］に記載の発明によれば、摺洗用具基体の摺洗具保持部が撓み変形可能な薄板状に構成されているので、使用時に被摺洗面に対する摺洗用具の押し当て状態に応じて摺洗体を弾性変形させて、被摺洗面の形状に合わせながら摺洗作業を良好に行うことができる。
【００１６】
また、一対の摺洗体が面ファスナーを介して摺洗体保持部に装着されているので、これら摺洗体が使用するうちに傷んだり劣化してきた場合には、摺洗体と摺洗体とを引き剥がすことで両面ファスナーの係合を解除させて摺洗用具基体から簡単に取り外して交換することができ、経済的である。
【００１７】
また、摺洗用具基体の摺洗体保持部には面ファスナーを取り付ける必要がないため、摺洗用具基体の摺洗体保持部に面ファスナーの取り付けにくい材質等も採用でき、材料コストや製造コストの低減を図ることができる。
【００１８】
前項［３］に記載の発明によれば、摺洗体保持部の中央部の孔部を通じても一対の摺洗体同士が連結するため、両摺洗体と摺洗用具基体とをより強固に連結することができる。
【００１９】
前項［４］に記載の発明によれば、摺洗体の表面側の設けられた不織布からなる吸水性層により、被摺洗面を摺洗しながら同時に該被摺洗面の水滴等を素早く吸水排除することができる。
【図面の簡単な説明】
【００２０】
【図１】この発明に第１の実施形態に係る摺洗用具を示す分解斜視図である。
【図２】同じく摺洗用具を示す一部破断側面図である。
【図３】同じく摺洗用具の使用状態の説明図である。
【図４】この発明の第２実施形態に係る摺洗用具を示す分解斜視図である。
【図５】第２の実施形態に係る摺洗用具を示す一部破断側面図である。
【図６】第２の実施形態に係る摺洗用具の使用状態の説明図である。
【図７】第２の実施形態に係る摺洗用具の長柄取付部位の概略説明図である。
【発明を実施するための形態】
【００２１】
以下、この発明の実施形態を図面に基づいて説明する。
【００２２】
図１および図２は、それぞれこの発明の第１の実施形態に係る摺洗用具を示す分解斜視図および一部破断側面図である。
【００２３】
図１および図２において、この摺洗用具は、摺洗用具基体１と、摺洗用具基体１に保持される摺洗体２と、摺洗用具基体１に取り付けられ、摺洗体２を操作するための操作部３とを備えている。
【００２４】
前記摺洗用具基体１は、例えば合成樹脂等から平面形成が長円形状の薄板状に成形されるとともに、厚さ方向について撓み変形可能に構成されている。この摺洗用具基体１の略全域が摺洗体２が取り付けられ、摺洗体２を保持する用摺洗体保持部（主面部）１１として機能するようになっている。また、この主失せ尿具基体１の上面の所定位置には、操作部３に対する棒状の支持部６が一体に立設されている。
【００２５】
この摺洗用具基体１の摺洗体保持部１１の下面には、雄雌一対の面ファスナーの一方、例えば雄形の面ファスナー４２が取り付けられている。この実施形態では、面ファスナー４２は、摺洗体保持部１１の例えば前後両端部にそれぞれ位置して接合されている。勿論、この面ファスナー４２のサイズ、位置、数等は、任意に変更可能である。
【００２６】
前記摺洗体２は、比較的厚肉のスポンジ体から構成されている。この摺洗体２のサイズは、この実施形態では、摺洗体保持部１１より若干大きな面積に設定されている。なお、摺洗体２のサイズは、摺洗体保持部１１と同じ面積であってもよい。
【００２７】
摺洗体２の摺洗体保持部１１との対向面、つまり、上面には、前記雄形の面ファスナー４２に係脱可能に係合する雌形の面ファスナー４１が接合されている。この摺洗体２は、これら雌雄の面ファスナー４１，４２を介して前記摺洗用具基体１の下面に着脱可能に装着されている。
【００２８】
この摺洗体２の表面（下面）側には、不織布からなる吸水性層５が設けられている。
【００２９】
前記操作部３は、この実施形態では、合成樹脂により棒状体として形成され、前記摺洗用具基体１の上方側に摺洗用具基体１の長手方向に略平行状に配置されており、前記支持部６の上端に連成されている。
【００３０】
勿論、この操作部３の形状等は任意に変更可能であり、また、この操作部３を摺洗用具基体１とは、別体の成形体を取り付けるように構成してもよい。なお、前記操作部３の長手方向の一端には、フック部７が取り付けられている。
【００３１】
上記構成の摺洗用具は、例えば床等の清掃や洗車等を行う場合、作業者は、前記操作部３を把持して前記摺洗体２の表面（下面）側を被摺洗面に対して押し付けながら摺動操作すればよい。
【００３２】
この時、前記摺洗用具基体１の摺洗体保持部１１が弾性変形可能に構成されているので、図３に示すように、摺洗体２を被摺洗面に押し付けた状態や被摺洗面の形状等に応じて、該摺洗用具基体１の摺洗体保持部１１と共に摺洗体２が弾性的に撓み変形するので、効果的な摺洗効果が発揮される。
【００３３】
また、前記摺洗体２の表面側における不織布からなる吸水性層５により、摺洗作業を行えば、被摺洗面の水滴等を同時に吸水させて除去することができる。
【００３４】
ここで、前記摺洗用具基体１の下面に摺洗体２が面ファスナー４１，４２を介して装着されているので、前記摺洗体２が使用するうちに傷んだり劣化してきた場合には、該摺洗体２を引き剥がすことで前記雌形の面ファスナー４２と雄形の面ファスナー４１との係合が解除されて摺洗用具基体１側から簡単に取り外して交換することができ、経済的である。
【００３５】
次に、本発明の第２の実施形態について説明する。
【００３６】
図４および図５は、それぞれこの第２の実施形態に係る摺洗用具を示す分解斜視図および一部破断側面図であり、前記実施形態と同一もしくは相当部所には、同一符号を付して重複説明を省略する。
【００３７】
図４および図５において、この摺洗用具は、摺洗用具基体１０と、摺洗用具基体１０の上下に配置される一対の摺洗体２１，２２と、摺洗用具基体１０に取り付けられた操作部としての長柄３０とを備えている。
【００３８】
前記摺洗用具基体１０は、一対の摺洗体２１，２２が装着される摺洗体保持部１１と、操作部（長柄）３０と連結する基端部１２とを有している。摺洗体保持部１１は、例えば合成樹脂等から平面形成が長円形状の薄板状に成形されるとともに、厚さ方向について撓み変形可能に構成されている。この実施形態では、この摺洗体保持部１１には面ファスナーは設けられていない。
【００３９】
前記一対の摺洗体２１，２２は、前記摺洗体保持部１１を挟んで上下に配置されており、いずれも前記摺洗体保持部１１より大きな面積のスポンジ体で構成されている。
【００４０】
これら一対の摺洗体２１，２２の両者が対向するそれぞれの内側面には、互いに係合可能な面ファスナー４３，４４が取り付けられている。具体的には、上側摺洗体２１の下面の全面に雌型の面ファスナー４３が取り付けられ、下側摺洗体２２の上面の全面に雄型の面ファスナー４４が取り付けられている。
【００４１】
これら上下一対の摺洗体２１，２２は、前記摺洗体保持部１１を挟み込んだ状態で、前記摺洗体保持部１１より外側周囲にはみ出した部分で両者の面ファスナー４３，４４同士が係合することにより、両摺洗体２１，２２が連結し、これにより摺洗用具基体１０に装着されるようになっている。
【００４２】
また、摺洗用具基体１０の摺洗体保持部１１の中央部には、上下面を貫通する孔部１３が形成されている。この実施形態では、前後方向へ細長い二つの孔部１３，１３が前後両端部にそれぞれ位置して形成されており、これら孔部１３，１３を通じても前記上下一対の摺洗体２１，２２に取り付けられた面ファスナー４３，４４は互い係合するようになっている。
【００４３】
このように摺洗体保持部１１の中央部の孔部１３を通じても一対の摺洗体２１，２２同士が連結することにより、両摺洗体２１，２２と摺洗用具基体１０とをより強固に連結することができる。
【００４４】
勿論、この孔部１３の形状や大きさ、あるいは数は、面ファスナー４３，４４同士が十分接合可能で、かつ摺洗用具基体１０自体の強度が確保できる範囲で任意に変更可能である。
【００４５】
また、面ファスナー４３，４４のサイズ、位置、数についても、一対の摺洗体２１，２２の内面のうち、摺洗体保持部１１の外側周囲にはみ出す部分や、摺洗体保持部１１に形成された孔部１３に対応する部分に設けられていれば足り、必ずしも全面に設けなくてもよい。
【００４６】
また、摺洗用具基体１０の摺洗体保持部１１に一対の摺洗体２１，２２を装着するのに、一対の摺洗体２１，２２に取り付けた面ファスナー４３，４４を用いているため、摺洗用具基体１０の摺洗体保持部１１には面ファスナーを取り付ける必要がなく、摺洗用具基体１０の摺洗体保持部１１が面ファスナーの取り付けにくい材質等であっても採用することができ、材料コストや製造コストの低減を図ることができる。
【００４７】
なお、これら上下一対の摺洗体２１，２２の表面側には、不織布からなる吸水性層５、５が設けられている。
【００４８】
操作部としての長柄３０は、例えば１ｍ余りの合成樹脂ないしは金属材製の筒形（パイプ）からなる長柄で構成されている。勿論、この例においても、操作部として、長柄に限らず、任意のものを採用可能である。
【００４９】
この長柄３０と摺洗用具基体１０との連結手段としては各種の形態が採用可能であるが、この実施形態では、摺洗用具基体１の基端部１２に取り付けられる筒形結合部材８を介して長柄３０が連結されるようになっている。
【００５０】
具体的には、摺洗用具基体１０の基端部１２には、筒形結合部材８の基端（下端）側が装着される首形の筒部１４が突設され、その先端に大径部１５が形成されている。この筒部１４には、一対の半円筒部材１６，１６が嵌着されるようになっており、この半円筒部材１６，１６は、筒形結合部材８と接着性のよい材質で構成されている。そして、この半円筒部材１６，１６が筒部１４に装着された状態で接着剤が塗布され、前記筒形結合部材８の基端側（下端側）が外嵌して結合されることで組み立てられる。
【００５１】
また、上下一対の摺洗体２１，２２の後端部には、切欠部２３，２３が形成され、摺洗用具基体１０の基端部１２が摺洗体２１，２２の後面より内側に入り込んた状態で摺洗体２１，２２が摺洗用具基体１０に装着されるようになっている。
【００５２】
ここで、摺洗用具基体１０の摺洗体保持部１１は基端部１２より幅が大きいため、基端部１２の両側において一対の摺洗体２１，２２の面ファスナーが係合することで、摺洗用具基体１０の摺洗体保持部１１が一対の摺洗体２１，２２から抜け出てしまう事態を防止できる。
【００５３】
前記筒形結合部材８の先端（上端）側には、例えば、図７に示すように、長柄３０の基端（下端）側に設けられた円錐形の雄側突出部３１が挿入される円錐形の雌側凹入部３２が形成されており、雄側突出部３１を雌側凹入部３２の奥端まで挿入して回転変移させれば、両者３１，３２が係合して、長柄３０の基端部が筒形結合部材８を介して前記摺洗用具基体１の筒部１４に結合されるようになっている。
【００５４】
上記構成の摺洗用具によれば、作業者は、長柄を握って前記摺洗体２１，２２を被摺洗面に押し付けながら摺動操作すればよい。
【００５５】
この時、前記摺洗用具基体１０の摺洗体保持部１１が弾性変形可能に構成されているので、摺洗体２１，２２を被摺洗面に押し付けた状態や被摺洗面の形状等に応じて、該摺洗用具基体１０の摺洗体保持部１１と共に摺洗体２１，２２が弾性的に撓み変形するので、効果的な摺洗効果が発揮される。
【００５６】
また、前記摺洗体２１，２２の表面側における不織布からなる吸水性層５，５により、摺洗作業を行えば、被摺洗面の水滴等を同時に吸水させて除去することができる。
【００５７】
とくに、摺洗用具基体１０における摺洗体保持部１１の上下両面にスポンジ体２１，２２が面ファスナー４３，４４を介して装着されているので、隙間等を清掃する場合等に上下の摺洗体２１，２２の両方を同時に使用することもできる。
【００５８】
また、一対の摺洗体２１，２２が面ファスナー４３，４４を介して装着されているので、これら摺洗体２１，２２が使用するうちに傷んだり劣化してきた場合には、摺洗体２１と摺洗体２２とを引き剥がすことで前記雌形の面ファスナー４３と雄形の面ファスナー４４との係合を解除させて摺洗用具基体１０から簡単に取り外して交換することができ、経済的である。
【００５９】
さらに、２つの摺洗体２１，２２の劣化の程度が異なる場合等には、上下の摺洗体２１，２２を外してから、互いに入れ換えて前記摺洗用具基体１０の摺洗体保持部１１に再び装着して使用したり、いずれか一方のみを新品に交換したりすることも可能であり、経済的、かつ便利である。
【符号の説明】
【００６０】
１，１０・・・摺洗用具基体１
２，２１，２２・・・摺洗体（スポンジ体））
３，３０・・・操作部
５，，５０・・・吸水性層（不織布層）
１１・・・摺洗体保持部
４１，４２、４３，４４・・・面ファスナー
【図１】
2011115286.tif 000003
【図２】
2011115286.tif 000004
【図３】
2011115286.tif 000005
【図４】
2011115286.tif 000006
【図５】
2011115286.tif 000007
【図６】
2011115286.tif 000008
【図７】
2011115286.tif 000009